(57)【要約】【課題】  点字を判別できない晴眼者が容易に視覚障害者用の薬袋を作成できる薬袋を得る。【解決手段】  透明なプラスチック材料からなる表フィルム１１と裏フィルム１２に仕切りフィルム１３を挟着し、上辺に開口部１６を設けた薬袋本体１０と、文字や数字とそれに対応する点字を付した台紙２０とからなり、台紙２０は薬袋本体１０の収容部１５に収容されている。台紙２０には確定文字が印刷されているとともに該確定文字に対応する点字が形成されており、かつ、不確定文字とそれに対応する点字を付した複数のシール片３１，３２，３３が貼着されている。【選択図】  図１
2006130220.tif 000002
【特許請求の範囲】
【請求項１】
外部から透視可能でかつ点字触読可能なプラスチックフィルム製の台紙収容部を有し、一辺に開口部を有する薬袋本体と、
文字や数字が印刷されているとともに該文字や数字に対応する点字が形成されたほぼ矩形の多数のシール片をシール基台上に貼着した文字シールと、
前記台紙収容部に収容可能なサイズを有し、一面に確定文字が印刷されているとともに該確定文字に対応する点字が形成されており、かつ、前記シール基台から剥がしたシール片を選択的に貼着可能な不確定文字／数字貼着領域が印刷されている台紙と、
を備えたことを特徴とする薬袋。
【請求項２】
前記薬袋本体の表フィルムもしくは裏フィルムのいずれか又は表フィルムと裏フィルムの間に挟着された仕切りフィルムが開口部の外方に延在した蓋部とされ、該蓋部に離型紙を備えた糊テープが貼着されていることを特徴とする請求項１に記載の薬袋。
【請求項３】
前記薬袋本体の表フィルム及び裏フィルムの開口部の内面側に、互いに嵌合／解除可能な凹部と凸部からなるジッパーが設けられていることを特徴とする請求項１に記載の薬袋。
【請求項４】
前記シール片は前記台紙に対して貼り替え可能であることを特徴とする請求項１、請求項２又は請求項３に記載の薬袋。
【請求項５】
薬袋本体と、
前記薬袋本体の表面に貼着可能な台座シールと、文字や数字が印刷されているとともに該文字や数字に対応する点字が形成されたほぼ矩形の多数のシール片とをシール基台上に貼着したシールセットと、を備え、
前記台座シールには、確定文字が印刷されているとともに該確定文字に対応する点字が形成されており、かつ、前記シール基台から剥がしたシール片を選択的に貼着可能な不確定文字／数字貼着領域が印刷されていること、
を特徴とする薬袋。
【請求項６】
前記シール片は前記台座シールに対して貼り替え可能であることを特徴とする請求項５に記載の薬袋。
【発明の詳細な説明】
【技術分野】
【０００１】
本発明は、薬袋、特に、病院や薬局において視覚障害者用に使用される薬袋に関する。
【背景技術】
【０００２】
一般に、病院や薬局において薬袋には、その表面に薬の種類や投与対象氏名、日付、用法などが記入される。視覚障害者に対してはこれらが点字で付される必要があるが、現状では点字を付した薬袋は存在しないのが現状である。これは、点字を判別できない晴眼者では点字の処理ができないことに起因している。
【０００３】
ところで、特許文献１には、視覚障害者と晴眼者が文字や文章を通じて意思の交流が容易にできるように、また、視覚障害者が必要とする物品への名称の明示が容易にできるように、点字と点訳文字とを一文字ごとに並記したシールと、そのシールを分かりやすく簡単に貼り付けるための用紙とからなる点訳用具が開示されている。但し、特許文献１にはその点訳用具を薬袋に使用することまでは言及していない。
【特許文献１】特開平１１−１６１１５０号公報
【発明の開示】
【発明が解決しようとする課題】
【０００４】
そこで、本発明の目的は、点字を判別できない晴眼者が容易に視覚障害者用の薬袋を作成できる薬袋を提供することにある。また、本発明の他の目的は、前記目的を達成するとともに、反復使用可能な薬袋を提供することにある。
【課題を解決するための手段】
【０００５】
以上の目的を達成するため、第１の発明に係る薬袋は、外部から透視可能でかつ点字触読可能なプラスチックフィルム製の台紙収容部を有し、一辺に開口部を有する薬袋本体と、文字や数字が印刷されているとともに該文字や数字に対応する点字が形成されたほぼ矩形の多数のシール片をシール基台上に貼着した文字シールと、前記台紙収容部に収容可能なサイズを有し、一面に確定文字が印刷されているとともに該確定文字に対応する点字が形成されており、かつ、前記シール基台から剥がしたシール片を選択的に貼着可能な不確定文字／数字貼着領域が印刷されている台紙とを備えたことを特徴とする。
【０００６】
第２の発明に係る薬袋は、薬袋本体と、前記薬袋本体の表面に貼着可能な台座シールと、文字や数字が印刷されているとともに該文字や数字に対応する点字が形成されたほぼ矩形の多数のシール片とをシール基台上に貼着したシールセットと、を備え、前記台座シールには、確定文字が印刷されているとともに該確定文字に対応する点字が形成されており、かつ、前記シール基台から剥がしたシール片を選択的に貼着可能な不確定文字／数字貼着領域が印刷されていることを特徴とする。
【０００７】
第１及び第２の発明に係る薬袋において、シール片には、一文字や一数字ずつのみならず、薬袋に頻繁に使用される熟語、単文などが印刷されているとともに熟語や単文に対応する点字が形成されていてもよい。
【０００８】
通常、薬袋の表面には、「外用薬」，「さま」，「用法」，「飲んではいけません」、薬局名など予め決まっている確定文字と、投薬対象者ごとに記入すべき不確定文字とが表記される。第１及び第２発明においては、晴眼者が予め印刷されている確定文字及び不確定文字／数字貼着領域を目印に、記入すべき不確定文字を文字シール（第１の発明）又はシールセット（第２の発明）から選択してそのシール片を剥がし、不確定文字／数字貼着領域に貼着していく。
【０００９】
例えば、投薬対象者の氏名を文字シール（第１の発明）又はシールセット（第２の発明）のシール片から一文字ずつ選択して該当シール片を剥がして不確定文字貼着領域に貼着する。
【００１０】
第１及び第２の発明に係る薬袋において、台紙（第１の発明）又は台座シール（第２の発明）に印刷されている確定文字は晴眼者用であり、該確定文字に点字が付されていることで視覚障害者にも識別可能である。また、シール片には晴眼者が識別可能な文字や数字が印刷されているとともに点字が形成されているため、投薬対象者ごとに記入すべき内容を点字を判別できない晴眼者が貼着していくことができ、かつ、投薬対象者である視覚障害者が触読可能である。
【００１１】
第１の発明に係る薬袋にあっては、薬袋本体を容易に閉止できるように、薬袋本体の表フィルムもしくは裏フィルムのいずれか又は表フィルムと裏フィルムの間に挟着された仕切りフィルムが開口部の外方に延在した蓋部とされ、該蓋部に離型紙を備えた糊テープが貼着されていてもよい。あるいは、薬袋本体の表フィルム及び裏フィルムの開口部の内面側に、互いに嵌合／解除可能な凹部と凸部からなるジッパーが設けられていてもよい。
【００１２】
第１の発明に係る薬袋において、シール片は台紙に対して貼り替え可能であることが好ましい。また、第２の発明に係る薬袋において、シール片は台座シールに対して貼り替え可能であることが好ましい。例えば、同じ薬を定期的に使用する場合、投薬日付部分だけのシール片を貼り替えることで、同じ薬袋を再使用することができる。
【発明の効果】
【００１３】
即ち、第１及び第２の発明によれば、点字を判別できない晴眼者が視覚障害者のために点字で氏名、投与日、服用法などを表示した薬袋を容易に作成することができる。また、シール片を貼り替えることで薬袋を再使用することができる。
【発明を実施するための最良の形態】
【００１４】
以下、本発明に係る薬袋の実施例について、添付図面を参照して説明する。
【００１５】
（第１実施例、図１〜図３参照）
本発明に係る薬袋の第１実施例について図１〜図３を参照して説明する。この薬袋は、図１に示す透明なプラスチックフィルムを製袋した薬袋本体１０と、図２に示す台紙２０と、図３に示す文字シール３０とで構成されている。
【００１６】
薬袋本体１０は、両側辺と下辺を閉じた表フィルム１１、裏フィルム１２の間に仕切りフィルム１３を挟着したもので、薬品収容部１４と台紙収容部１５とに仕切られている。また、薬袋本体１０の上辺開口部１６には表フィルム１１及び裏フィルム１２の内面側にそれぞれ互いに嵌合／解除可能な凹部１７ａ及び凸部１７ｂからなる周知のジッパー１７が設けられている。
【００１７】
台紙２０は、図２に示すように、確定文字が印刷されているとともに該確定文字に対応する点字が形成されている。即ち、上段から「のみぐすり」の確定文字と点字、「名前」の確定文字と点字、「さま」の確定文字と点字、「日分」の確定文字と点字（数符を含む）が付されている。そして、「名前」と「さま」の間には不確定文字貼着領域２１が枠線で印刷され、「日分」の左側には不確定数字貼着領域２７が枠線で印刷されている。
【００１８】
その下段には、「薬の種類」の確定文字と点字が付され、不確定文字貼着領域２２が枠線で印刷されている。さらに、「◎しるしのとおり飲んでください」の確定文字と浮き出た◎印及び点字が付されている。さらに、その下段に、枠線で囲まれて、「１日  ３回  毎食後」の確定文字と点字（数符を含む）、「１日  ３回  毎食前」の確定文字と点字（数符を含む）などが８段に付され、各段の左側に◎印貼着領域２３が枠線で印刷されている。なお、３〜８段目の点字はその図示を省略する。
【００１９】
さらに、その下段には、「平成」，「年」，「月」，「日」の確定文字と点字（数符を含む）が付され、不確定数字貼着領域２４，２５，２６が枠線で印刷されている。さらに、「大阪府  柏原市  旭ヶ丘」の確定文字と点字（図示せず）、「３丁目１５−４３」の確定文字と点字（図示せず）、「〇〇薬局」の確定文字と点字（図示せず）が付されている。最下段には、「電話」,「０７２」，「９７７」，「１０７９」の確定文字と点字がそれぞれ付されている。
【００２０】
文字シール３０は、図３に示すように、「錠剤」，「カプセル」などの内服薬用薬袋に通常使用される文字、「ア」などのカタカナ、「１」などの数字が印刷されているとともに、それらに対応する点字を形成した多数のシール片３１，３２，３３，３４が裏面に設けた粘着剤などによってシール基台３５上に貼着されている。それぞれのシール片３１〜３４はシール基台３５上でスリット３６によって区画され、１枚ずつ任意に取り剥がすことが可能になっている。シール片３４は「◎」の記号が視覚障害者にも判別できるように形成したものである。
【００２１】
前記シール基台３５上に設けられたそれぞれのシール片３１〜３４は、１００〜２００μｍのＰＥＴフィルム又は塩化ビニルフィルム、あるいは、１２０〜３００μｍの紙などから形成されている。
【００２２】
薬局の薬剤師（晴眼者）は、医師の処方箋に基づいて、台紙２０上に点字の説明書を作成する。この場合、台紙２０の「名前」の不確定文字貼着領域２１に文字シール３０から投薬対象者の名前を該当するカタカナのシール片３２を１枚ずつ剥がして貼着する。不確定数字貼着領域２７には該当する数字のシール片３３を１枚ずつ剥がして貼着する。さらに、薬の種類の右側に位置する不確定文字貼着領域２２に該当するシール片３１のいずれかをシール基台３５から剥がして貼着する。
【００２３】
さらに、「◎しるしのとおり飲んでください」と印刷された下段の領域２３の該当個所にシール片３４を貼着する。さらに、「年」，「月」，「日」の不確定数字貼着領域２４〜２６に該当する数字のシール片３３をシール基台３５から剥がして貼着する。
【００２４】
これにて、特定の投薬対象者用の点字台紙２０が完成する。この点字台紙２０を図１に示す薬袋本体１０の収容部１５に開口部１６から挿入する。薬袋本体１０の表フィルム１１は透明で薄くて柔軟性を有するフィルム、例えば、厚さ４０μｍ以下のポリエチレン、３０μｍ以下のポリプロピレンなどからなり、表フィルム１１を介して指で押さえれば点字を触読可能である。
【００２５】
なお、台紙２０においては、薬局の名称や住所欄も不確定文字貼着領域としておいて、対応するシール片を貼着するようにしておいてもよい。また、シール片３１〜３４は台紙２０に対して貼り替え可能である。例えば、同じ薬を定期的に使用する場合、投薬日付部分である不確定数字貼着領域２４〜２６だけのシール片を貼り替えることで、同じ薬袋１０を再使用することができる。
【００２６】
（変形例、図４及び図５参照）
図４及び図５に前記第１実施例の変形例を示す。図４に示す薬袋は、薬袋本体１０Ａの表フィルム１１の上辺部分を蓋部１１ａとして機能させたもので、該蓋部１１ａには糊テープ１８と離型紙１９が貼着されており、離型紙１９を剥がして糊テープ１８を裏フィルム１２に貼着して閉止する。薬品は仕切りフィルム１３と裏フィルム１２の間の収容部１４に収容され、点字台紙２０は仕切りフィルム１３と表フィルム１１の間の収容部１５に収容される。
【００２７】
図５に示す薬袋は、薬袋本体１０Ｂの仕切りフィルム１３の上辺部分を蓋部１３ａとして機能させたもので、該蓋部１３ａには糊テープ１８と離型紙１９が貼着されており、離型紙１９を剥がして糊テープ１８を裏面フィルム１２に貼着して閉止する。薬品は仕切りフィルム１３と裏フィルム１２の間の収容部１４に収容され、点字台紙２０は仕切りフィルム１３と表フィルム１１の間の収容部１５に収容される。
【００２８】
（第２実施例、図６及び図７参照）
本発明に係る薬袋の第２実施例について図６及び図７を参照して説明する。この薬袋は、図６に示す紙製の薬袋本体５０と、図７に示すシールセット６０とで構成されている。
【００２９】
薬袋本体５０は、従来から薬袋として使用されている紙製のものである。シールセット６０は、図７に示すように、確定文字が印刷されているとともに該確定文字に対応する点字が形成されている台座シール６１と、文字や数字が印刷されているとともに該文字や数字に対応する点字が形成されているシール片７１，７２，７３，７４，７５とをシール基台８０上に貼着したものである。
【００３０】
台座シール６１には、上段から「外用薬」の確定文字と点字、「さま」の確定文字と点字が付され、「さま」の左側には不確定文字貼着領域６２が枠線で印刷されている。
【００３１】
その下段には、「飲んではいけません」の確定文字と点字が付されている。その下段には、「用法」の確定文字と点字が付され、その右側に不確定文字貼着領域６３が枠線で印刷されている。「１日」，「回」，「日分」の確定文字と点字（数符を含む）が付され、不確定数字貼着領域６４，６５が枠線で印刷されている。さらに、「２００  年  月  日」の確定文字と点字（数符を含む）が付され、不確定数字貼着領域６６，６７，６８が枠線で印刷されている。さらに、その下段に、「薬局」の確定文字と点字が付され、その左側に不確定文字貼着領域６９が枠線で印刷されている。
【００３２】
以上説明した台座シール６１はスリット８９が形成されていることによってシール基台８０から取り剥がすことが可能である。
【００３３】
一方、多数のシール片７１〜７５は、領域Ａ，Ｂに大別して貼着されている。領域Ａには、「ぬりぐすり」，「消毒用」，「うがい用」，「吸入用」，「点鼻薬」，「点眼用」，「座薬」，「トローチ」の文字が印刷されているとともに対応する点字、数符の文字と点字、「１」などの数字が印刷されているとともに対応する点字が形成されている多数のシール片７１，７２，７４，７５が裏面に設けた粘着剤などによってシール基台８０上に貼着されている。
【００３４】
また、領域Ｂには、「ア」などのカタカナが印刷されるとともに、それらに対応する点字を形成した多数のシール片７３が裏面に設けた粘着剤などによってシール基台８０上に貼着されている。
【００３５】
それぞれのシール片７１〜７５はシール基台８０上でスリット７６によって区画され、１枚ずつ任意に取り剥がすことが可能である。なお、シール片７１，７３に付された点字の一部は図示が省略されている。
【００３６】
前記シール基台８０上に設けられたそれぞれの台座シール６１及びシール片７１〜７５は、１００〜２００μｍのＰＥＴフィルム又は塩化ビニルフィルム、あるいは、１２０〜３００μｍの紙などから形成されている。
【００３７】
薬局の薬剤師（晴眼者）が医師の処方箋に基づいて、台紙シール６１上に点字の説明書を作成するのは前記第１実施例と同様である。この場合、台座シール６１の「さま」の不確定文字貼着領域６２に投薬対象者の名前を該当するカタカナシール片７３を１枚ずつシール基台８０から剥がして貼着する。さらに、「用法」の不確定文字貼着領域６３に「ぬりぐすり」などのシール片７１を剥がして貼着する。さらに、「回」，「日分」の不確定数字貼着領域６４，６５に該当する数字のシール片７２を剥がして貼着する。さらに、「薬局」の不確定文字貼着領域６９に該当するカタカナシール片７３を剥がして貼着する。
【００３８】
これにて、特定の投薬対象者用の点字台座シール６１が完成する。この点字台座シール６１をシール基台８０から剥がして図６に示す薬袋本体５０の表面に貼着する。本第２実施例では、視覚障害者は台座シール６１の点字を直接指で押さえて判別することになる。
【００３９】
本第２実施例においても、シール片７１〜７５は台座シール６１に対して貼り替え可能である。従って、同じ薬を定期的に使用する場合、投薬日付部分である不確定数字貼着領域６６〜６８だけのシール片を貼り替えることで、同じ薬袋５０を再使用することができる。
【００４０】
（他の実施例）
なお、本発明に係る薬袋は前記実施例に限定するものではなく、その要旨の範囲内で種々に変更できる。
【００４１】
特に、薬袋本体の構成、形状は任意であり、シール片にどのような不確定文字と点字を付しておくかは使用頻度を推定して決定すればよい。また、使用頻度の高い不確定文字のシール片は別途用意したシール基台上に貼着しておけば特定のシール片が足りなくなったときに便利である。
【００４２】
一方、点字は、市販されている種々の点字プリンタを用いることにより、容易に形成することができる。
【図面の簡単な説明】
【００４３】
【図１】本発明に係る薬袋の第１実施例を示し、（Ａ）は斜視図、（Ｂ）は縦断面図、（Ｃ）は要部の拡大断面図である。
【図２】前記第１実施例で使用する台紙を示す平面図である。
【図３】前記第１実施例で使用する文字シールを示す平面図である。
【図４】前記第１実施例の一変形例を示す断面図である。
【図５】前記第１実施例の他の変形例を示す断面図である。
【図６】本発明に係る薬袋の第２実施例を示す斜視図である。
【図７】前記第２実施例で使用するシールセットを示す平面図である。
【符号の説明】
【００４４】
１０，５０…薬袋本体
１１…表フィルム
１２…裏フィルム
１３…仕切りフィルム
１５…収容部
１６…開口部
１７…ジッパー
１８…糊テープ
１９…離型紙
２０…台紙
２１〜２６…不確定文字／数字貼着領域
３０…文字シール
３１〜３４…シール片
６０…シールセット
６１…台座シール
６２〜６９…不確定文字／数字貼着領域
７１〜７５…シール片
【図１】
2006130220.tif 000003
【図２】
2006130220.tif 000004
【図３】
2006130220.tif 000005
【図４】
2006130220.tif 000006
【図５】
2006130220.tif 000007
【図６】
2006130220.tif 000008
【図７】
2006130220.tif 000009